(57)【要約】【課題】部品点数を削減して組付け及び取り外しを容易に行うことができる。【解決手段】内部に光ファイバケーブル１３、１３Ａが導入される空間を有するスリーブ１１と、前記スリーブの軸方向の両端を閉塞する端面板１２とを備えるクロージャ１０において、前記スリーブ１１は一体に成形されており、かつ軸方向に延在する開口面をもって開口された開口部を有すると共に、その開口部を形成する両端部１１１を封止手段により封止する構成とされ、該封止手段は、スリーブの開口部を形成する両端部の外端に、両端部を挟持する断面コ字状の形状をもってスリーブの軸方向に延びる封止体４０であることを特徴とする。【選択図】  図６
2004163718.tif 000002
【特許請求の範囲】
【請求項１】
内部に光ファイバケーブル（１３、１３Ａ）が導入される空間を有するスリーブ（１１）と、前記スリーブの軸方向の両端を閉塞する端面板（１２）とを備えるクロージャ（１０）において、
前記スリーブは、一体に成形されており、かつ軸方向に延在する開口面をもって開口された開口部（１１０）を有すると共に、その開口部を形成する両端部（１１１）を封止手段により封止する構成とされ、
該封止手段は、スリーブの開口部を形成する両端部の外端に、両端部を挟持する断面コ字状の形状をもってスリーブの軸方向に延びる封止体（４０）であることを特徴とするクロージャ。
【請求項２】
請求項１記載のクロージャにおいて、
前記封止体は、クロージャの軸方向に二分割され、各分割構成材（４１、４２）は、一端がクロージャの両外端にピン（４３、４６）で回動自在に枢着され、かつ他端が互いに着脱可能に係合することを特徴とするクロージャ。
【発明の詳細な説明】
【０００１】
【発明の属する技術分野】
この発明は、クロージャに係り、特に、光ファイバケーブルを保護収納するクロージャに関する。
【０００２】
【従来の技術】
光ファイバケーブルを保護収納するクロージャは、内部に光ファイバケーブルを導入する空間を有しており、その空間にて光ファイバケーブル同士の光接続部等を保護収納するようになっている。
【０００３】
図１３（ａ）〜（ｃ）は、そのような従来のクロージャ１を示している。このクロージャ１は、筒状をなすスリーブ２と、スリーブ２の軸方向の両端をそれぞれ閉塞する端面板３とを備え、端面板３に設けられているケーブル導入口３ａから光ファイバケーブル４がスリーブ２内に導入され、その光ファイバケーブル４から引き出された光ファイバがスリーブ２内の空間に配置されているトレイ積層体５内に導入され、このトレイ積層体５内において、光接続処理、余長処理等の処理がなされている。
【０００４】
このようなスリーブ２は、図１３（ｂ）及び（ｃ）に示すように、金型を用いて形成された、ポリエチレン等の樹脂製の二つの分割品２ａ、２ｂからなっており、光ファイバケーブル４を導入し、所定の処理をした後に、分割品２ａ、２ｂを互いに重ね合わせて金属製のバンド６で巻き付けると共に、バンド６を締め金具７で締め付けることにより固定される。その際、スリーブ２の軸方向に沿ってバンド６及び締め金具７が複数設けられる他、分割品２ａ、２ｂの接合部分にパッキン（図示せず）が設けられることにより、両分割品２ａ、２ｂ間の気密性及び水密性が得られるようになっている（例えば、特許文献１、特許文献２参照。）。
なお、図１３において、符号８は端面板３と、この端面板３の導入口３ａを挿通する光ファイバケーブル４との間を封止するパッキンである。
【０００５】
【特許文献１】
実公平５−２２８８３号公報（第１ー３頁、第１図ー第１０図）
【特許文献２】
特許第２９８１１６９号公報（第２ー３頁、図８ー図９）
【０００６】
【発明が解決しようとする課題】
ところで、上記従来のクロージャ１において、スリーブ２は上述したように分割品２ａ、２ｂからなっており、また、バンド６の位置ズレ防止用のリブ、溝等が形成されている。このような構造のため、分割品２ａ、２ｂは、押し出しダイスを用いた樹脂の押し出し成形によっては形成することができず、合成樹脂の射出成形、プレス成形によって各部品を１個ずつ形成しなければならない。このため、高価な金型を複数用意する必要があると共に、型締め、成形、型開の工程によって１個ずつ部品を形成するため作業能率が悪く、コスト増の原因となっていた。また、接続点数や接続形態等によりクロージャの長手方向大きさに対する要求は種々あり、その場合、金型はクロージャサイズの設計変更毎に新たに用意しなければならず、この点もコスト増をもたらしていた。
【０００７】
また、従来のクロージャ１は、スリーブ２の分割品２ａ、２ｂを組付けるのにパッキンや複数のバンド６，締め金具７を要するので、部品点数が多い問題があった。さらに、スリーブ２の組付け時には、分割品２ａ、２ｂ間にパッキンを介在させた後、バンド６を巻き付け、その後締め金具７で締め付けるので、組付けに手間がかかるばかりでなく、取り外しにも手間がかかるという問題があった。
【０００８】
この発明は、このような事情を考慮してなされたもので、その目的は、スリーブ作成の手間やコストを従来に比較し大幅に低減することができると共に、スリーブ組付け及び取り外しの手間をも削減することができるクロージャを提供することにある。
【０００９】
【課題を解決するための手段】
上記目的を達成するために、この発明は以下の手段を提案している。
請求項１に係る発明は、内部に光ファイバケーブルが導入される空間を有するスリーブと、前記スリーブの軸方向の両端を閉塞する端面板とを備えるクロージャにおいて、前記スリーブは、一体に成形されており、かつ軸方向に延在する開口面をもって開口された開口部を有すると共に、その開口部を形成する両端部を封止手段により封止する構成とされ、該封止手段は、スリーブの開口部を形成する両端部の外端に、両端部を挟持する断面コ字状の形状をもってスリーブの軸方向に延びる封止体であることを特徴とする。
【００１０】
この発明に係るクロージャによれば、スリーブが一体に成形されているので、最小部品点数で済む。また、スリーブの開口部を形成する両端部が封止手段によって封止されるだけでスリーブを組付けできるので、スリーブの組付けを簡単に行うことができる一方、光ファイバケーブルの増設等の際にスリーブの取り外しも簡単に行うことができ、スリーブの組付け及び取り外しが容易となる。
【００１１】
また、封止手段はスリーブ開口部の両端部を挟持する断面コ字状の形状をもつ封止体であり、封止体がスリーブ開口部の両端部を挟持することで、スリーブ開口部を確実に封止することができるばかりでなく、封止体を取り外すだけでスリーブ開口部を簡単に開くことができる。
【００１２】
請求項２に係る発明は、請求項１記載のクロージャにおいて、前記封止体は、クロージャの軸方向に二分割され、各分割構成材は、一端がクロージャの両外端にピンで回動自在に枢着され、かつ他端が互いに着脱可能に係合することを特徴とする。
【００１３】
この発明に係るクロージャによれば、分割構成材がピンを利用してスリーブにそれぞれ取り付けられた後、双方の分割構成材の他端を互いに係合させて組付けることができるので、スリーブの組付けを簡単に行うことができる。
【００１４】
【発明の実施の形態】
以下、図面を参照し、この発明の実施の形態について説明する。図１から図４はこの発明の前提となる構成を備えたクロージャを示す図であって、図１はクロージャの一部破断の平面図、図２はクロージャの一部破断の正面図、図３は図２の右側面図、図４はクロージャの開閉状態を示す説明図である。
【００１５】
図１〜図３に示すクロージャ１０は、筒状をなす例えば耐候性ポリエチレンなどの樹脂製のスリーブ１１と、スリーブ１１の軸方向の両端を閉塞する同樹脂製の端面板１２とを備えて構成されている。スリーブ１１は、その内部に光ファイバケーブル１３，１３Ａを導入するための空間を有しており、その空間内にトレイ積層体１４が配置されている。
【００１６】
このトレイ積層体１４は、スリーブ１１の軸方向に沿う箱形状のトレイ１４ａが上下方向に複数枚重ねられており、各トレイ１４ａ内で光ファイバケーブル１３から引き出された光ファイバ１３ｃ余長処理部（図示せず）が収納されたり、また分岐される他の光ファイバケーブルの光ファイバ１３ｃの融着した光接続部（図示せず）などが収納されている。
【００１７】
また、トレイ積層体１４の底部にはその長手方向に沿って、つまり、スリーブ１１の軸方向に沿って連結棒１５が延在しており、その連結棒１５を介して端面板１２が固定されている。端面板１２は、スリーブ１１の軸方向の両端を閉塞する部材であり、この端面板１２には光ファイバケーブル１３をスリーブ１１内に導入するための導入部１６が設けられている。
【００１８】
導入部１６は、図３及び図４（ａ）、（ｂ）に示すように、端面板１２においてその中央よりやや下部に略円形状に形成された第１導入口１７と、中央よりやや上部に貫通して形成された複数の第２導入口１８とを有し、第１導入口１７に光ファイバケーブル１３を通すと共に、第２導入口１８に例えば分岐用等のより細径の光ファイバケーブル１３Ａを通すことにより、スリーブ１１内にそれぞれの光ファイバケーブル１３，１３Ａが導入されるようになっている。
【００１９】
第１導入口１７には、その下部が端面板１２の下部まで切欠かれることによって形成された出入部１７ａが設けられ、光ファイバケーブル１３を通したとき、出入部１７ａに止め具１９を挿入して係止される。その際、第１導入口１７に光ファイバケーブル１３がＣ宇状のパッキン２０を介して挿通されることにより、光ファイバケーブル１３と止め具１９，端面板１２との間が気密及び水密に封止される。
【００２０】
また、端面板１２の内側には、図２に示すように、第１導入口１７から導入された光ファイバケーブル１３を把特等で固定するためのケーブル挟持部２１が設けられる一方、連結棒１５の端面板１２寄りの位置にケーブル固定部２２が設けられ、導入された光ファイバケーブル１３をケーブル挟持部２１が両側から挟み込んで固定し、また光ファイバケーブル１３のテンションメンバ１３ａがケーブル固定部２２で把持等されることによって固定されている。
【００２１】
更に、端面板１２の内側の上部にもケーブル固定部２３が設けられ、第２導入口１８より導入された光ファイバケーブル１３Ａがケーブル固定部２３によって把持等して固定されている。端面板１２の外周にはスリーブ１１との間で気密及び水密を保つためのパッキン２９が装着されている（図１，図２参照）。
なお、光ファイバケーブル１３は、中心に配置されたテンションメンバ１３ａと、その外側に配置されるスロットロッド１３ｂと、スロットロッド１３ｂのスロット溝に収納された光ファイバ心線等の光ファイバ１３ｃと、スロットロッド１３ｂの外側を覆う樹脂等の外皮１３ｄとを有する構成である。
【００２２】
図２、図３に示すように、端面板１２の外側上部にはバー２４を介して吊り金具２５がそれぞれ取り付けられている。吊り金具２５は、ボルト２６，押さえ板２７を有し、押さえ板２７と共に支持線（図２参照）２８を挟み付けてボルト２６で締め付けることにより、端面板１２とこれに連結棒１５によって連結されたトレイ積層体１４とからなる光接続ユニット（符示せず）が支持線２８に吊り下げられるようになっている。
【００２３】
そして、この実施形態において、スリーブ１１は、合成樹脂により、端面板１２、トレイ積層体１４等からなる光接続ユニットを収納し得る大きさの空間を有して一体に成形されている。即ち、スリーブ１１は、図４（ａ）に示すように、開閉可能に開口された開口部１１０を有する筒状に形成されており、その開口部１１０を形成する両端部１１１、１１１が封止手段としてのボルト３１、ワッシャ３２ａ、３２ｂ、ナット１１５によって締結されている。
【００２４】
具体的に述べると、スリーブ１１は、軸方向の一端から他端まで同じ厚みを有する略四角の筒状に形成されており、図４（ａ）に示すように、その下部に軸方向に延在する開口面をもって開口された開口部１１０が設けられている。そして、スリーブ１１の開口部１１０を形成する両端部１１１には下方に垂下するよう折り曲げられた垂下板１１２，１１３がそれぞれ設けられている。
【００２５】
両垂下板１１２，１１３のうち、図３及び図４（ａ）、（ｂ）に示す左側の垂下板１１２には孔１１２ａが形成されている。また、右側の垂下板１１３は、左側の垂下板１１２より肉厚に形成されており、その上部には凸部１１４が形成され、凸部１１４にパッキン１１６が装着されている。また、垂下板１１３において、凸部１１４より若干下がった位置には孔１１３ａが形成されている。
【００２６】
そして、開口部１１０を形成する両端部１１１を図４（ａ）の状態から同図（ｂ）のように閉じたとき、一方の垂下板１１２が他方の垂下板１１３及びパッキン１１６と当接し、この状態でボルト３１等の封止手段により締め付けることにより、両垂下板１１２，１１３が互いに封止され、これによってスリーブ１１の内部に対する気密及び水密が得られるようになっている。
【００２７】
なお、この実施形態では、スリーブ１１の長さが数十センチの長さであるため、封止手段が所定の三カ所に設けられているが、スリーブ１１の長さに応じて個数が変わるのは言うまでもない。
【００２８】
また更に、スリーブ１１の上部両側、つまり、両肩には図４（ａ）、（ｂ）に示すように、スリーブ１１の肉厚を一部切り除いて形成された薄肉部１１７がそれぞれ設けられている。薄肉部１１７は、スリーブ１１の両肩に軸方向に沿い例えばＶ字状に切りかかれており、スリーブ１１を開閉するとき、ヒンジとして機能することにより、スリーブ１１を容易に開閉できるようになっている。
【００２９】
このクロージャは、上記の構成からなるので、スリーブ１１を取り付けるには、予め、支持線２８に吊り金具２５を吊り下げると共に、この吊り金具２５に端面板１２、トレイ積層体１４等の光接続ユニットを一体的に連結し、端面板１２、トレイ積層体１４、連結棒１５、及び処理された光ファイバケーブル１３，１３Ａに対して、スリーブ１１の開口部１１０を図４（ａ）に示す矢印ａ方向に拡げて開き、その内部の空間に端面板１２、トレイ積層体１４等を収納した後、開口部１１０を形成する両端部１１１の垂下板１１２，１１３を封止手段により締結する。
【００３０】
即ち、垂下板１１２，１１３をスリーブ１１の下方位置で矢印ａと反対方向に閉じて互いに当接させ、その当接させた状態で同図（ｂ）に示すように、ワッシャ３２ａ付きのボルト３１を垂下板１１２の孔１１２ａ、垂下板１１３の孔１１３ａに挿通し、このボルト３１にワッシャ３２ｂを介在させてナット１１５を締め付けることにより開口部１１０を封止し、これによってスリーブ１１の組付けが完了する。
【００３１】
この場合、スリーブ１１は、一体に成形された略四角の筒状をなしているだけであるので、分割品２ａ、２ｂで構成される従来例と異なり、最小部品点数で済む。しかも、スリーブ１１が軸方向の一端から他端まで断面同一形状であり、言い換えれば、肉厚が長手方向（スリーブ１１の軸方向）で一定であり、この結果、押し出しダイスを用いた連続押し出し成形が可能となるので、個別の成形金型が不要となる。
【００３２】
また、内部の空間にトレイ積層体１４及び端面板１２を収納したとき、開口部１１０を形成する両端部１１１が封止手段（ボルト３１、ワッシャ３２ａ、３２ｂ、ナット１１５）によって締結されるだけでスリーブ１１を組付けできるので、スリーブの周囲にバンドを幾つも締め付ける従来例に比較すると、スリーブ１１の組付けを簡単に行うことができるばかりでなく、光ファイバケーブル１３の増設等の際にスリーブ１１の取り外しも簡単に行うことができ、スリーブ１１の組付け及び取り外しが容易となる。
【００３３】
また、スリーブ１１の両肩には薄肉部１１７が設けられ、この薄肉部は押し出し成形時に形成されたスリーブ長手方向に沿った凹部であり、スリーブ１１を開閉するとき、薄肉部１１７を支点としてスリーブ１１の開口部１１０が開閉するヒンジ機能を果たすので、一体成形品であるにも拘わらず、スリーブ１１の側面の開閉を円滑に行うことができる。これにより、スリーブ１１の組付け及び取り外しが一層容易となる。
なお、薄肉部は、本実施例では２ヶ所であるが、２ヶ所以上、あるいは以下であってもかまわない。
【００３４】
更に、スリーブ１１は、端面板１２に対応して略四角の筒状に形成されているので、内部の空間のスペースファクタが良好となる。即ち、スリーブ１１内の空間に収納されるトレイ積層体１４が箱形状のトレイ１４ａを積み重ねた立方体形状であり、スリーブ１１がそれに合わせた形状となっているので、スリーブ１１の内面とトレイ積層体１４との間のスペースを極力少なくすることができ、従来のように断面円形となるスリーブ２に比較すると、それだけ無駄な空間を省略でき、スペースファクタを向上することができる。
【００３５】
また、スリーブ１１が組付けられたとき、封止された開口部１１０がスリーブ１１の真下に位置するので、これによっても水等が浸入するおそれがなく、確実かつ十分な気密性及び水密性が得られる。
【００３６】
図５から図１２は、この発明の実施の形態に係るクロージャを示す図である。
この実施形態は、上述した図１〜図４に示すクロージャの構成を基本としたものであり、スリーブ１１の開口部１１０を形成する両端部１１１、１１１が、図５及び図６のような封止手段としての封止体４０によって挟持されて封止されている。封止体４０は、例えばステンレスのような金属製によって図６のように断面コ字状に形成されており、スリーブ１１の長手方向に沿い図５のように一方の分割構成材４１と他方の分割構成材４２とに二分割されている。
【００３７】
一方の分割構成材４１は、その一端部に図７及び図８に示すようにピン４３が固定され、ピン４３が図５においてスリーブ１１の端部１１１の左側の外端に挿通されることにより、スリーブ１１に垂直方向に回動可能に枢着されている。
【００３８】
即ち、分割構成材４１の一端部には、図８のように底板４１ａの両側が切り欠かれると共に、底板４１ａに起立形成された側板４１ｂと４１ｃとのうち、側板４１ｃの端部も切り欠かれ、かつ側板４１ｃの切り欠かれた部分と対向するようにピン４３が側板４１ｂに横設されている。そして、このピン４３が、図６のようにスリーブ１１の両端部１１１、１１１に挿通することにより、分割構成材４１が端部１１１において図５の矢印ｂのようにピン４３を中心として垂直方向に回動できるようになっている。
その際、分割構成材４１の底板４１ａの先端部に、図８のように、彎曲しながら底板４１ａより下方に曲げて形成された逃げ部４１ｄが設けられ、ピン４３を前記両端部１１１に挿通するとき、底板４１ａの逃げ部４１ｄが端部１１１と干渉しないようにしている。
【００３９】
この分割構成材４１の他端部には、図９に示すように連結具４４が装着されている。連結具４４も、ステンレスにより形成されて分割構成材４１を嵌入し得る大きさのコ字状をなしており、分割構成材４１の他端部を嵌め込んでねじ止めや溶接等されることにより、分割構成材４１の他端部に長さ方向に突出した状態で装着されている。この連結具４４の他端側の上部両側には、係止孔４５が設けられている。
【００４０】
他方の分割構成材４２も、分割構成材４１及び連結具４４と同様の材質によってコ字状に形成されている。この分割構成材４２は、図１０及び図１１に示すようにその一端部にピン４６が固定され、ピン４６が図５においてスリーブ１１の両端部１１１、１１１の右側の外端に挿通されることにより、スリーブ１１に対し垂直方向に回動可能に枢着されている。即ち、この分割構成材４２の一端部の底板４２ａ、側板４２ｂ、４２ｃの各々が図１１のように、分割構成材４１の場合と対称形状に切り欠かれると共に側板４２ｂにピン４６が横設され、ピン４６により分割構成材４２が回動できるようになっている。そのため、スリーブ１１の両端部１１１を構成する垂直板１１２，１１３の外端には、図６のように、分割構成材４１のピン４３及び分割構成材４２のピン４６をそれぞれ挿通できる孔（符示せず）が設けられている。
【００４１】
また、分割構成材４２の底板４２ａの一端部にも図１１のように逃げ部４２ｄが形成され、ピン４６を両端部１１１に挿通するとき、逃げ部４２ｄによって底板４２ａが端部１１１と干渉しないようにしている。
更に、分割構成材４２の他端部には図１２（ａ）のように外方に突出する突起４７が設けられている。突起４７は、分割構成材４１の係合孔４５と係合するもので、分割構成材４２の他端側において側板４２ｃの上部に設けられている。
【００４２】
つまり、この封止手段は、図５のように、スリーブ１１の両端部１１１、１１１の左側の外端にピン４３が挿通されることによって分割構成材４１が枢着され、また両端部１１１、１１１の右側の外端にピン４６が挿通されることによって分割構成材４２が枢着されたとき、分割構成材４１、４２のそれぞれの他端側を、即ち先端側を図５の矢印ｂ方向に回動させて、分割構成材４１の連結具４４と分割構成材４２の他端側とを互いに嵌め込み、その状態のままさらにスリーブ１１方向に回動させることにより、双方の分割構成材４１、４２がスリーブ１１の両端部１１１の垂直板１１２、１１３を挟持することにより、開口部１１０を形成する両端部１１１が封止されるようになっている。
【００４３】
その際、分割構成材４２の他端側が両端部１１１を挟持した時点で、分割構成材４２の突起４７が連結具４４の係合孔４５と係止し、これによって双方の分割構成材４１、４２が互いにスリーブ１１の両端部１１１を封止した状態で組付けられるようになっている。なお、分割構成材４１、４２をスリーブ１１から取り外す場合には、図５の矢印ｂと反対方向に回動させて、分割構成材４１、４２が両端部１１１に対する分割構成材４１、４２の挟持を解除した後、ピン４３、４６を抜き取ることで行われる。
【００４４】
また、分割構成材４２の他端側においては、図１２（ａ）のように、底板４２ａの先端を両側板４２ｂ、４２ｃより若干短く形成すると共に、その両側を切り欠いて連結具用支持部４２ｅが設けられ、更に側板４２ｂ、４２ｃの端縁の下部に同図（ｂ）のように、傾斜して切り欠かれた傾斜部４２ｆが設けられると共に、その傾斜部４２ｆの下部と連結具用支持部４２ｅとの間に隙間４２ｇが形成されている。
【００４５】
そして、分割構成材４１、４２をスリーブ１１に組付けるために図５の矢印ｂ方向に回動し、分割構成材４１の連結具４４内に分割構成材４２の他端部を嵌め込むとき、連結具４４の底板の先端が傾斜部４２ｆによって案内されることにより、連結具４４の隙間４２ｇに入り込んで連結具用支持部４２上に支持されるようになっている。従って、詳細に図示していないが、分割構成材４２と連結具４４とが嵌合すると、分割構成材４２の両側板４２ｂ、４２ｃが連結具４４の両側壁の内面に当接する一方、分割構成材４２の底板４２ａに連結具４４の底板が当接するようになっている（図６参照）。
【００４６】
この実施形態によれば、スリーブ１１が一体に成形された筒状をなしているので、前述した実施形態と同様の作用効果が得られるのに加え、以下の効果が得られる。
【００４７】
即ち、端面板１２、トレイ積層体１４等を収納したスリーブ１１の垂下板１１２，１１３の両外端にピン４３、４６によって分割構成材４１、４２をそれぞれ枢着し、それら分割構成材４１、４２の先端側を、図５のようにスリーブ１１方向に回動させて分割構成材４１の連結具４４に分割構成材４２の先端側を嵌合させ、しかもその状態でさらに持ち上げて分割構成材４１及び分割構成材４２の内部に垂下板１１２，１１３を挟持することにより、開口部１１０を封止し、またそれら分割構成材４１、４２を互いの先端から引き下ろし、かつ垂下板１１２，１１３から取り外すことで、スリーブ１１の開口部１１０を開くことができる。
【００４８】
従って、封止手段がスリーブ１１の両端部１１１の垂直板１１２，１１３を挟持する断面コ字状の形状をもつ封止体４０で構成され、封止体４０がその垂直板１１２，１１３を挟持するだけで、スリーブ１１の開口部１１０を確実に封止することができばかりでなく、その封止体４０を構成する分割構成材４１、４２を取り外すだけで、スリーブ１１の開口部１１０を簡単に開くことができる。
【００４９】
しかも、ピン４３、４６を利用してスリーブ１１に分割構成材４１、４２をそれぞれ取り付けた後、双方の分割構成材４１、４２の先端側を連結具４４によって互いに組付けるだけで開口部１１０を封止できるので、一実施形態のようにボルト３１、ワッシャ３２ａ，３２ｂ、ナット１１５を用いることなくスリーブ１１を封止することができ、スリーブ１１の封止を簡単に行うことができる。特に、スリーブ１１の取り付け作業及びその開口部１１０の封止作業は、支持線２８に吊り下げられた光ファイバケーブル１３，１３Ａを対象とする架空での作業であり、作業員はボルト３１等の締結用の部品や工具を必要とすることなく行えるので、作業性をいっそう高めることができる。
【００５０】
また、スリーブ１１に対し、ピン４３、４６を開口部１１０の垂下板１１２，１１３に挿通させるだけで双方の分割構成材４１、４２がそれぞれ枢着され、その上、分割構成材４１の連結具４４に係合孔４５が設けられると共に、分割構成材４２に突起４６が設けられているので、双方の分割構成材４１及び４２をスリーブ側に回動して挟持させるだけで開口部１１０を確実に封止でき、スリーブ１１の封止を簡単かつ容易に行えると共に、良好に行うことができる。
【００５１】
更に、分割構成材４１、４２の取り付けに際しては、スリーブ１１の垂下板１１２，１１３に対しピン４３、４６を同じ側面側から挿通するだけでできるので、分割構成材の取り付け作業も簡単に行うことができる。
なお、この実施形態では、突起４７が分割構成材４２の一方の側板４２ｃにのみ設けられた例を示したが、他方の側板４２ｂにも設けて連結板４４に対する係合力を大きくすることもできる。
【００５２】
また、本発明に於ける両端を閉塞する端面板とは、本実施例の構造、形状に限定されずスリーブの両端を水密閉塞する部材や、その機能を有する手段を総て含むものである。
そして、両端面板の下部に導入口を有しているから、クロージャ内への光ファイバケーブルの導入作業が容易になり、従って、光ファイバの分岐作業が効率良く行えるようになる。
またさらに、スリーブ連結部が、クロージャの下部にのみあるので、そして、それ以外の連結部は無いため気密、水密性が優れるという利点もある。
【００５３】
【発明の効果】
以上説明したように、請求項１に係る発明によれば、スリーブが一体に成形されているので、最小部品点数で済み、また、スリーブが封止手段によって締結されるだけでスリーブを組付けできるので、スリーブの組付けを簡単に行うことができるばがりでなく、光ファイバケーブルの増設等の際にスリーブの取り外しも簡単に行うことができ、少ない部品点数でスリーブの組付け及び取り外しが容易となる効果が得られ、更にコストの低廉化も図れる効果が得られる。
【００５４】
また、封止体がスリーブの開口部を形成する両端部を挟持することで、スリーブの開口部を確実に封止することができるばかりでなく、その封止体を取り外すだけでスリーブの開口部を簡単に開くことができる効果が得られる。
【００５５】
請求項２に係る発明によれば、分割構成材がピンを利用してスリーブにそれぞれ取り付けられた後、双方の分割構成材の先端側を互いに組付けるだけでよいので、スリーブを確実に封止することができ、スリーブの封止を簡単に行うことができる効果が得られる。
【図面の簡単な説明】
【図１】この発明の前提となる構成を備えたクロージャを示す一部破断の平面図である。
【図２】同じくクロージャを示す一部破断の正面図である。
【図３】図２の左側面図である。
【図４】同クロージャのスリーブを示す図であって、（ａ）はスリーブを開いている状態を示す説明図、（ｂ）はスリーブを締結して封止した状態を示す説明図である。
【図５】この発明の実施の形態に係るクロージャを示す説明用正面図である。
【図６】スリーブを挟持して封止した状態を示す図５の右側面に対応する説明図である。
【図７】（ａ）は封止手段としての一方の分割構成材を示す平面図、及び（ｂ）はその正面図である。
【図８】図６の一方の分割構成材の一端側を示す説明図である。
【図９】同じく一方の分割構成材の他端側を示す説明図である。
【図１０】封止手段としての他方の分割構成材を示し、（ａ）は平面図及び（ｂ）は正面図である。
【図１１】図９の他方の分割構成材の一端側を示す説明図である。
【図１２】同じく他方の分割構成材の他端側を示す説明図である。
【図１３】（ａ）は従来のクロージャを示す平面図、（ｂ）は同じく正面図、及び（ｃ）は同じく側面図である。
【符号の説明】
１０…クロージャ、１１…スリーブ、１２…端面板、１３，１３Ａ・‥光ファイバケーブル、１４…トレイ積層体、１５…連結棒、３１…封止手段としてのボルト、３２ａ、３２ｂ…封止手段としてのワッシャ、１１０…開口部、１１１…開口部を形成する端部、１１２，１１３…垂下板、１１４…凸部、１１５…締結手段としてのナット、１１６…パッキン、１１７…薄肉部、４０…封止手段としての封止体、４１、４２…分割構成材、４３、４６…ピン、４５…係合孔、４７…突起。
【図１】
2004163718.tif 000003
【図２】
2004163718.tif 000004
【図３】
2004163718.tif 000005
【図４】
2004163718.tif 000006
【図５】
2004163718.tif 000007
【図６】
2004163718.tif 000008
【図７】
2004163718.tif 000009
【図８】
2004163718.tif 000010
【図９】
2004163718.tif 000011
【図１０】
2004163718.tif 000012
【図１１】
2004163718.tif 000013
【図１２】
2004163718.tif 000014
【図１３】
2004163718.tif 000015